(57)【要約】【課題】  埋め込み型ガスコンセントにおいて、電気用取付板をガス用取付板に容易に、かつ位置精度よく取り付けることができるようにする。【解決手段】  ガス用取付板２の室内側を向く表面には、複数の係合突起２ｅを形成する。各係合突起２ｅは、市販の埋め込み型電気コンセントの電気用取付板５の所定の位置に形成されている係合孔５ｅに嵌合させたとき、電気用取付板５がガス用取付板２の予め定められた位置に精度良く位置決めされるように配置する。【選択図】図１
2005140212.tif 000002
【特許請求の範囲】
【請求項１】
壁部の室内に臨む内面に環状をなすガス取付板が上記壁部に形成された貫通孔を囲むようにして押圧固定され、このガス用取付板に上記貫通孔内に配置されたガス栓が取り付けられてなる埋め込み型ガスコンセントにおいて、
上記ガス用取付板の室内側を向く表面には、電気コンセントのコンセント本体が取り付けられる電気用取付板が固定され、上記ガス用取付板と上記電気用取付板との間には、互いに係合することによって上記電気用取付板を上記ガス用取付板に対して位置決めする位置決め機構が設けられていることを特徴とする埋め込み型ガスコンセントにおける電気コンセントの取付構造。
【請求項２】
上記ガス用取付板が互いに平行な二つの平行端面を有し、上記電気用取付板が、上記二つの平行端面と同一平面上に位置する二つの第２平行端面を有していることを特徴とする請求項１に記載の埋め込み型ガスコンセントにおける電気コンセントの取付構造。
【請求項３】
上記位置決め機構が、上記電気用取付板の上記ガス用取付板との押圧接触面に形成された複数の係合孔と、上記ガス用取付板の上記電気用取付板との押圧接触面に形成され、上記複数の係合孔にそれぞれ嵌合する複数の係合突起とを有していることを特徴とする請求項１又は２に記載の埋め込み型ガスコンセントにおける電気コンセントの取付構造。
【請求項４】
上記二つの平行端面の近傍に上記複数の係合突起の少なくとも一つがそれぞれ配置され、上記二つの第２平行端面の近傍に上記複数の係合孔の少なくとも一つがそれぞれ配置されていることを特徴とする請求項３に記載の埋め込み型ガスコンセントにおける電気コンセントの取付構造。
【発明の詳細な説明】
【技術分野】
【０００１】
この発明は、埋め込み型ガスコンセントに電気コンセントを取り付けるための取付構造、特に市販の壁埋め込み型電気コンセントを取り付けるのに好適な取付構造に関する。
【背景技術】
【０００２】
一般に、ガス器具には、電気部品が多用されている。したがって、ガス器具を使用する場合には、ガス器具にガス配管を接続するのみならず、電気配線を接続する必要がある。そこで、最近では、ガス器具にガスを供給するガス管が接続されるガスコンセントとして、特に埋め込み型ガスコンセントとして、電気コンセントを備えたものが多用されている（特許文献１参照）。
【０００３】
【特許文献１】特開平５−１１８４５９号公報
【発明の開示】
【発明が解決しようとする課題】
【０００４】
電気コンセントを備えた従来の埋め込み型ガスコンセントにおいては、電気コンセントのコンセント本体を取り付けるための電気用取付板として専用の取付板が用いられている。このため、市販の電気コンセントの電気用取付板を用いることができず、その分だけ製造費が嵩むという問題があった。そこで、本願の発明者は、ガスコンセントのガス用取付板に市販の電気コンセントの電気用取付板を取り付けることを考えた。この場合、ガス用取付板に電気取付板を取り付けるに際しては、ガス用取付板の寸法をできる限り小さくするために、ガス用取付板の上下又は左右の寸法を電気用取付板の寸法と同一にするのが望ましい。ところが、そのようにすると、電気用取付板をガス用取付板に取り付けたときに、取付精度が悪いと電気用取付板の一部がガス用取付板の周囲から外側に突出してしまう。その結果、ガス用取付板にそれを覆う化粧板を取り付けることができなくなってしまうという問題を招来する。したがって、電気用取付板は、ガス用取付板に精度良く取り付ける必要があり、その結果電気用取付板のガス用取付板に対する取付作業に手間が掛かるという問題があった。
【課題を解決するための手段】
【０００５】
この発明は、市販の電気コンセントの電気用取付板に複数の貫通孔、突出部その他のものが形成され、しかもそれらの貫通孔等が所定の位置に配置されていることに着目してなされたものであり、所定の位置に形成された環通孔等を電気用取付板のガス用取付板に対する位置決めのために用いることできるという着想を得るに至った。
このような着想に基づくこの発明は、上記の問題を解決するために、壁部の室内に臨む内面に環状をなすガス取付板が上記壁部に形成された貫通孔を囲むようにして押圧固定され、このガス用取付板に上記貫通孔内に配置されたガス栓が取り付けられてなる埋め込み型ガスコンセントにおいて、上記ガス用取付板の室内側を向く表面には、電気コンセントのコンセント本体が取り付けられる電気用取付板が固定され、上記ガス用取付板と上記電気用取付板との間には、互いに係合することによって上記電気用取付板を上記ガス用取付板に対して位置決めする位置決め機構が設けられていることを特徴としている。
上記ガス用取付板が互いに平行な二つの平行端面を有し、上記電気用取付板が、上記二つの平行端面と同一平面上に位置する二つの第２平行端面を有していることが望ましい。
上記位置決め機構が、上記電気用取付板の上記ガス用取付板との押圧接触面に形成された複数の係合孔と、上記ガス用取付板の上記電気用取付板との押圧接触面に形成され、上記複数の係合孔にそれぞれ嵌合する複数の係合突起とを有していることが望ましい。
上記二つの平行端面の近傍に上記複数の係合突起の少なくとも一つがそれぞれ配置され、上記二つの第２平行端面の近傍に上記複数の係合孔の少なくとも一つがそれぞれ配置されていることが望ましい。
【発明の効果】
【０００６】
上記特徴構成を有するこの発明によれば、電気コンセントの電気用取付板をガスコンセントのガス用取付板に精度よく位置決めすることができるという効果が得られる。
【発明を実施するための最良の形態】
【０００７】
以下、この発明を実施するための最良の形態を、添付の図１〜図１０を参照して説明する。
まず、この発明に係る埋め込み型ガスコンセント１が取り付けられる壁部Ｗについて説明すると、壁部Ｗは家屋の側壁の一部である内壁を構成するものであり、壁部Ｗの室外Ｏ側には、外壁（図示せず）が壁部Ｗから所定距離だけ離れて配置形成されている。壁部Ｗには、室内Ｉ側を向く内面Ｗａから室外Ｏ側を向く外面Ｗｂまで貫通する貫通孔Ｗｃが形成されている。貫通孔Ｗｃは、断面略正方形に形成されているが、縦長又は横長の長方形に形成されることもある。
【０００８】
次に、この発明に係る埋め込み型ガスコンセント１について説明すると、図１〜図３に示すように、埋め込み型ガスコンセント１は、壁部Ｗを間にして室内Ｉ側に配置されたガス用取付板２と、室外Ｏ側に配置された挟持用固定板３とを有している。
【０００９】
ガス用取付板２は、金属製の板材からなるものであり、図１〜図３及び図５に示すように、略正方形の枠状（環状）に形成されている。取付板２の外形寸法は、貫通孔Ｗｃの内形寸法より一回り大きく形成されており、取付板２の内形寸法は、貫通孔Ｗｃの内形寸法より若干小さく形成されている。取付板２は、その室外Ｏ側を向く端面の外周側部分が壁部Ｗの室内Ｉ側を向く内面Ｗａの貫通孔Ｗｃを囲む環状の部分に全周にわたって接触するとともに、その内周縁のほぼ全体が貫通孔Ｗｃの内周面から内側に突出するように配置されている。ガス用取付板２は、貫通孔Ｗｃが長方形に形成される場合には、それに対応して長方形に形成される。
【００１０】
一方、固定板３は、取付板２と同様に、金属製の板材からなるものであり、図２、図３及び図６に示すように、略正方形の枠状に形成されている。固定板３の外形寸法は、貫通孔Ｗｃの内形寸法より一回り大きく形成されており、固定板３の内形寸法は貫通孔Ｗｃの内形寸法とほぼ同一か若干大きく形成されている。固定板３は、その室内Ｉ側を向く面が壁部Ｗの室外Ｏ側を向く外面Ｗｂの貫通孔Ｗｃを囲む環状の部分に全周にわたって接触し、しかも固定板３の内周縁が貫通孔Ｗｃの内周面とほぼ同一平面上に位置するか、内周面より若干径方向外側に位置するるようにして配置されている。固定板３も、貫通孔Ｗｃが長方形に形成される場合には、それに対応して長方形に形成される。
【００１１】
ガス用取付板２には、左右に長い長孔からなるボルト挿通孔２ａが四つ形成されている。各ボルト挿通孔２ａは、貫通孔Ｗｃの各隅部の近傍で、かつ貫通孔Ｗｃの内周面より内側に配置されている。各ボルト挿通孔２ａには、ボルトＢ１が挿通されている。ボルト挿通孔２ａを貫通したボルトＢ１は、貫通孔Ｗｃを通り、固定板３の内周面に形成された突片３ａのねじ孔３ｂに螺合されている。そして、ボルトＢ１を締め付けることにより、ガス用取付板２が壁部Ｗの内面Ｗａに押圧固定されるとともに、挟持用固定板３が壁部Ｗの外面Ｗｂに押圧固定されている。
【００１２】
図１及び図２示すように、貫通孔Ｗｃの一側部（この実施の形態では図１の右側部）には、迅速継手タイプのガス栓４がそのプラグ部４ａを室内Ｉ側に向けた状態で配置されている。ガス栓４は、取付板２の一側部に形成された支持片２ｂにボルトＢ２によって固定されている。周知のように、プラグ部４ａには、ソケット（図示せず）が接続される。そして、プラグ部４ａにソケットが接続されると、ガス栓４が自動的に閉状態から開状態に切り替わる。勿論、ソケットがプラグ部４ａから外されると、ガス栓４が自動的に開状態から閉状態に切り替わる。
【００１３】
取付板２の室内Ｉ側を向く表面の左側部（他側部）には、市販の電気コンセントの一部をなす電気用取付板５が押圧固定されている。電気用取付板５は、金属製の板材からなるものであり、図１、図７及び図８に示すように、上下に長い略長方形の枠状に形成されている。取付板５の上下の長さは、ガス用取付板２の上下方向の長さと同一に設定されており、取付板５の上下の両端面（第２平行端面）５ａ，５ｂは取付板２の上下の両端面（平行端面）２ｃ，２ｄと同一平面上に位置させられている。換言すれば、ガス用取付板２の上下方向の長さが電気用取付板５の上下方向の長さと同一に設定されており、それによって取付板２の上下方向の長さが必要最低限の長さに設定されている。取付板５は、上記四つのボルトＢ１のうちの左側部に配置された二つのボルトＢ１によって貫通されている。そして、ボルトＢ１を締め付けることにより、取付板２が取付板５を介して押されて壁部Ｗに押圧固定されるとともに、取付板５が取付板２の表面に押圧固定されている。取付板５は、ボルトＢ１と異なるボルトを用いて取付板２に固定してもよい。その場合には、ボルトを取付板５に対して室内Ｉ側から貫通させて取付板２に螺合させる。そして、ボルトを締め付けることにより、取付板５が取付板２に固定される。
【００１４】
ボルトＢ１が挿通される取付板５のボルト挿通孔５ｃは、左右に長い長孔として形成されている。これは、市販の埋め込み型電気コンセントを単独で設置するときに、取付板５を挿通孔５ｃに挿通されたボルト（ボルトＢ１）に対して左右方向へ相対移動させて取付板５の姿勢を適宜調節し、ひいては次に述べるコンセント本体６の長手方向を正しく上下方向に向けるためのものである。また、ボルトＢ１が挿通される取付板２のボルト挿通孔２ａも左右に長い長孔になっているが、これは取付板２の取付姿勢を適宜調節するためのものである。
【００１５】
電気用取付板５には、図１、図２、図７及び図１０に示すように、電気コンセントの一部をなすコンセント本体６が挿入されている。コンセント本体６は、図１、図２、図７及び図９に示すように、略直方体をなしており、その一部は取付板２から室外Ｏ側に突出して貫通孔Ｗｃ内に収容され、他の一部は取付板５から室内Ｉ側に突出している。コンセント本体６の左右両側部には、突出部６ａが２個宛て形成されている。各突出部６ａは、取付板５の左右両側部に形成された環状係合部５ｄに移動不能にそれぞれ嵌め込まれている。これにより、コンセント本体６が取付板５に固定されている。突出部６ａは、取付板５及び環状係合部５ｄを弾性変形させることにより、環状係合部５ｄに嵌め込むことができる。コンセント本体６の室内Ｉ側を向く面には、ソケット（図示せず）が差し込まれる差込口６ｂが上下に２つ設けられている。
【００１６】
上記のように、電気用取付板５はボルトＢ１によってガス用取付板２に固定されているが、ボルトＢ１が挿通されるボルト挿通孔５ｃが左右に長い長孔として形成され、しかもボルト挿通孔５ｃの上下の幅は、ボルトＢ１の雄ねじ部のＢ１ａの外径より若干広くなっている。したがって、取付板５の上下の端面５ａ，５ｂを取付板２の上下の端面２ｃ，２ｄと同一平面上に位置させる際には、取付板５の位置を微調整する必要があり、そのために多くの手間を要する。そこで、このガスコンセント１においては、取付板５の位置を微調整することなく、その上下の端面５ａ，５ｂを取付板２の上下の端面２ｃ，２ｄと同一平面上に位置させることができるようにするために、取付板２，５間に位置決め機構７が設けられている。
【００１７】
すなわち、図１、図７及び図８に示すように、取付板５の上下の両端部、つまり上下の両端面５ａ，５ｂの近傍部分には、取付板５を貫通する係合孔５ｅがそれぞれ１つ宛て形成されている。各係合孔５ｅは、取付板５が市販の電気コンセントの取付板である場合には、予め定められた所定の位置に配置されている。一方、取付板２の室内Ｉ側を向く表面には、各係合孔５ｅに嵌合する係合突起２ｅが形成されている。二つの係合突起２ｅは、各孔５ｅにそれぞれ嵌合することによって取付板５の取付板２に対する位置を決定する。この場合、二つの係合孔５ｅ，５ｅ（係合突起２ｅ，２ｅ）が取付板５の上下の両端部に配置されているから、つまり両係合孔５ｅ，５ｅ間の距離が長いので、取付板５の取付板２に対する位置決め精度が向上する。各突起２ｅは、各孔５ｅにそれぞれ嵌合すると、取付板５の上下の両端面５ａ，５ｂが取付板２の上下の両端面２ｃ，２ｄと同一平面上に位置するように配置されている。
【００１８】
上記構成の埋め込み型ガスコンセント１においては、電気コンセント用の取付板５及びコンセント本体６として市販のものを使用することができるので、電気コンセント付きの埋め込み型ガスコンセント１を安価に製造することができる。しかも、電気用取付板５をガス用取付板２に対して正確に、かつ容易に位置決めすることができる。電気用取付板５をガス用取付板２に位置精度よく取り付けることができるので、取付板５の一部が取付板２から外部に突出するようなことがない。したがって、図２及び図４に示すように、ガス用取付板２に化粧蓋８を取り付ける際に、取付板５が邪魔になるようなことがない。
【００１９】
なお、この発明は、上記の実施の形態に限定されるものでなく、その要旨を逸脱しない範囲において適宜変更可能である。
例えば、上記の実施の形態においては、上下の両端部に形成された二つの係合孔５ｅを位置決め機構の一部としているが、取付板５の上下の両端部には、鍵穴状をなす二つの孔５ｆ，５ｆがそれぞれ形成されている。この孔５ｆも市販の電気コンセントでは所定の位置に配置形成されている。そこで、この孔５ｆに嵌合する突起を取付板２に設け、この突起と孔５ｆとによって位置決め機構を構成してもよい。
また、電気用取付板５の側面に形成された突出部５ｇ，５ｇに係合する凹部（図示せず）を取付板２に形成し、これらの突出部５ｇと凹部とによって位置決め機構を構成してもよい。
さらに、上記の実施の形態においては、上下に長い電気用取付板５の上下の両端面５ａ，５ｂを取付板２の上下の両端面２ｃ，２ｄと同一平面上に位置させているが、取付板５に代えて左右に長い取付板を用いる場合には、その取付板の左右の両端面（第２平行端面）を取付板２の左右の両端面（平行端面）と同一平面上に位置させるようにしてもよい。
【図面の簡単な説明】
【００２０】
【図１】この発明の一実施の形態を示す正面図である。
【図２】図１のＸ−Ｘ線に沿う断面図である。
【図３】ガス栓及びコンセント本体を省略して示す図１のＹ−Ｙ線に沿う断面図である。
【図４】図１から図３に示す実施の形態のガス用取付板に化粧蓋を取り付けた状態で正面図である。
【図５】同実施の形態において用いられているガス用取付板を示す図であって、図５（Ａ）はその正面図、図５（Ｂ）、（Ｃ）はそれぞれ図５（Ａ）のＢ矢視、Ｃ矢視図である。
【図６】同実施の形態において用いられている挟持用固定板を示す図であって、図６（Ａ）はその正面図、図６（Ｂ）、（Ｃ）はそれぞれ図６（Ａ）のＢ矢視、Ｃ矢視図である。
【図７】市販の埋め込み型電気コンセントの電気用取付板及びそれに取り付けられたコンセント本体とを示す図であって、図７（Ａ）は、その正面図、図７（Ｂ）は図７（Ａ）のＢ矢視図、図７（Ｃ）はその背面図である。
【図８】埋め込み型電気コンセントの電気用取付板を示す図であって、図８（Ａ）はその正面図、図８（Ｂ）は図８（Ａ）のＢ矢視図、図８（Ｃ）はその背面図である。
【図９】埋め込み型電気コンセントのコンセント本体を示す図であって、図９（Ａ）はその平面図、図９（Ｂ）は図９（Ａ）のＢ矢視図である。
【図１０】図７（Ａ）のＸ−Ｘ線に沿う断面図である。
【符号の説明】
【００２１】
Ｗ  壁部
Ｗａ  内面
Ｗｂ  外面
Ｗｃ  貫通孔
１  埋め込み型ガスコンセント
２  ガス用取付板
２ｃ  上端面（平行端面）
２ｄ  下端面（平行端面）
２ｅ  係合突起
４  ガス栓
５  電気用取付板
５ａ  上端面（第２平行端面）
５ｂ  下端面（第２平行端面）
５ｅ  係合孔
６  コンセント本体
７  位置決め機構
【図１】
2005140212.tif 000003
【図２】
2005140212.tif 000004
【図３】
2005140212.tif 000005
【図４】
2005140212.tif 000006
【図５】
2005140212.tif 000007
【図６】
2005140212.tif 000008
【図７】
2005140212.tif 000009
【図８】
2005140212.tif 000010
【図９】
2005140212.tif 000011
【図１０】
2005140212.tif 000012